(57)【要約】【課題】スリット内並びに環状空間内に入り込んだスラリー等の流体中の固形分が圧密されることを防止し得、ナイフプレートとシートリングとの密着性を良好に保持し得、締切性能の向上を図り得るナイフゲート弁を提供する。【解決手段】ケーシング１の底部に、スリット４と連通する液溜部１２を形成し、該液溜部１２の一端側に洗浄流体の供給管１３を接続すると共に、前記液溜部１２の他端側に洗浄流体の排出管１４を接続し、更に、シートリング５の薄肉部５ｃとケーシング１との間に形成される環状空間１１の上部に洗浄流体の供給管を接続すると共に、前記環状空間１１の底部に洗浄流体の排出管１６を接続する。【選択図】　　　　図２
2004124997.tif 000002
【特許請求の範囲】
【請求項１】
ナイフゲート弁において、
ケーシングの底部に、スリットと連通する液溜部を形成し、該液溜部の一端側に洗浄流体の供給管を接続すると共に、前記液溜部の他端側に洗浄流体の排出管を接続したことを特徴とするナイフゲート弁。
【請求項２】
液溜部の底面に、一端側から他端側へ向け下り勾配となる傾斜をつけた請求項１記載のナイフゲート弁。
【請求項３】
シートリングとケーシングとの間に形成される環状空間の上部に洗浄流体の供給管を接続すると共に、前記環状空間の底部に洗浄流体の排出管を接続した請求項１又は２記載のナイフゲート弁。
【発明の詳細な説明】
【０００１】
【発明の属する技術分野】
本発明は、ナイフゲート弁に関するものである。
【０００２】
【従来の技術】
一般に、ナイフゲート弁は、脱硫装置やその他の各種機器においてスラリー等の流体が流通する配管途中に設けられ、その流路の開閉を行うものである。
【０００３】
図４〜図６は従来のナイフゲート弁の一例を表わすものであって、該ナイフゲート弁は、スラリー等の流体が流通する配管（図示せず）途中に設けられるケーシング１に対し、流路２を遮断するためのナイフプレート３をスリット４に沿って挿脱可能に設けると共に、該ナイフプレート３が挿脱されるスリット４の流路２内面側における周縁部に、ナイフプレート３の非挿入時には互いに密着し合い且つナイフプレート３の挿入時にはその両面に密着して液密とするシートリング５を配設してなる構成を有している。
【０００４】
前記ケーシング１上には、図４に示される如く、ヨーク６を立設し、該ヨーク６上に油圧シリンダ７を鉛直下向きに取り付け、該油圧シリンダ７のロッド８先端をナイフプレート３の上端部に連結してあり、又、前記ケーシング１の流路２側内面及びスリット４内面には、図５及び図６に示される如く、インナライニング９を内張りしてある。
【０００５】
一方、前記シートリング５は、ゴム等の弾性体で形成された円筒状の部材であって、ナイフプレート３側に配置される液密保持部５ａと、反ナイフプレート３側に配置されるフランジ部５ｂと、該フランジ部５ｂと液密保持部５ａとをつなぐ薄肉部５ｃとを備え、前記液密保持部５ａ内に補強リング５ｄを埋め込むと共に、前記フランジ部５ｂ内にリテーナフランジ５ｅを埋め込み、該リテーナフランジ５ｅが埋め込まれたフランジ部５ｂをケーシング１に対しボルト１０の締め付けにより固定するようにしてある。
【０００６】
前述の如きナイフゲート弁においては、図４〜図６に示される状態から、油圧シリンダ７のロッド８を伸張させると、ナイフプレート３が、互いに密着しているシートリング５の液密保持部５ａを押し開くように下降して行き、流路２が遮断され、前記シートリング５の液密保持部５ａがナイフプレート３の両面に密着することにより、スラリー等の流体の漏れが防止される一方、前記流路２を遮断した状態から、前記油圧シリンダ７のロッド８を収縮させると、ナイフプレート３が上昇して行き、流路２が開放され、前記シートリング５の液密保持部５ａが再び互いに密着した状態に保持される。
【０００７】
尚、ハンドルを回すことにより、弁体を移動させて開閉を行うようにしたナイフゲート弁も一般に知られている（例えば、特許文献１参照）。
【０００８】
【特許文献１】
特開昭５９−１４４８７６号公報（第１〜２頁、第１図）
【０００９】
【発明が解決しようとする課題】
しかしながら、前述の如く、ナイフプレート３を開閉する際には、互いに密着しているシートリング５の液密保持部５ａがナイフプレート３によって押し開かれるような形となるため、スラリー等の流体がスリット４内、並びにシートリング５の薄肉部５ｃとケーシング１との間に形成される環状空間１１内に入り込み、その自重でケーシング１の底部へ流下して堆積し、長期間使用していると、前記スリット４内並びに環状空間１１内に入り込んだスラリー等の流体中の固形分が圧密され、ナイフプレート３とシートリング５の液密保持部５ａとの密着性が阻害され、締りが悪くなるという欠点を有していた。更に、弁底部のスリット４にもスラリー等の流体中の固形分が圧密され、最悪の場合、ナイフプレート３が完全に弁底部のスリット４まで入りきらず、締め切りができなくなるという欠点を有していた。
【００１０】
本発明は、斯かる実情に鑑み、スリット内並びに環状空間内に入り込んだスラリー等の流体中の固形分が圧密されることを防止し得、ナイフプレートとシートリングとの密着性を良好に保持し得、締切性能の向上を図り得るナイフゲート弁を提供しようとするものである。
【００１１】
【課題を解決するための手段】
本発明は、流体が流通する配管途中に設けられるケーシングに対し、流路を遮断するためのナイフプレートをスリットに沿って挿脱可能に設けると共に、該ナイフプレートが挿脱されるスリットの流路内面側における周縁部に、ナイフプレートの非挿入時には互いに密着し合い且つナイフプレートの挿入時にはその両面に密着して液密とするシートリングを配設したナイフゲート弁において、
ケーシングの底部に、スリットと連通する液溜部を形成し、該液溜部の一端側に洗浄流体の供給管を接続すると共に、前記液溜部の他端側に洗浄流体の排出管を接続したことを特徴とするナイフゲート弁にかかるものである。
【００１２】
上記手段によれば、以下のような作用が得られる。
【００１３】
ナイフプレートを開閉する際には、互いに密着しているシートリングがナイフプレートによって押し開かれるような形となるため、スラリー等の流体がスリット内に入り込み、その自重でケーシングの底部に形成された液溜部へ流下するが、該液溜部の一端側に接続した供給管から洗浄流体を供給すると、前記液溜部へ流下したスラリー等の流体は、洗浄流体と一緒に液溜部の他端側に接続した排出管から排出される。
【００１４】
この結果、長期間使用しても、前記スリット内に入り込んだスラリー等の流体中の固形分が圧密されることが避けられ、ナイフプレートとシートリングとの密着性が阻害されず、締りが悪くなる心配がない。又、弁底部のスリットに入り込んだスラリー等の流体中の固形分が弁底部に圧密されることが避けられ、ナイフプレートが弁底部のスリットに容易に入るため、締め切りが悪くなることはない。
【００１５】
前記ナイフゲート弁においては、液溜部の底面に、一端側から他端側へ向け下り勾配となる傾斜をつけることができ、このようにすると、液溜部へ流下したスラリー等の流体を洗浄流体によってより確実に排出管から排出させることが可能となる。
【００１６】
更に、前記ナイフゲート弁においては、シートリングとケーシングとの間に形成される環状空間の上部に洗浄流体の供給管を接続すると共に、前記環状空間の底部に洗浄流体の排出管を接続することが望ましく、このようにすると、前記ナイフプレートを開閉する際にスリット内に入り込んだスラリー等の流体だけではなく、環状空間内に入り込んで底部へ流下したスラリー等の流体についても、環状空間の上部に接続した供給管から洗浄流体を供給することにより、洗浄流体と一緒に環状空間の底部に接続した排出管から排出することが可能となり、ナイフプレートとシートリングとの密着性を確保する上でより有効となる。
【００１７】
【発明の実施の形態】
以下、本発明の実施の形態を図示例と共に説明する。
【００１８】
図１〜図３は本発明を実施する形態の一例であって、図中、図４〜図６と同一の符号を付した部分は同一物を表わしており、基本的な構成は図４〜図６に示す従来のものと同様であるが、本図示例の特徴とするところは、図１〜図３に示す如く、ケーシング１の底部に、スリット４と連通する液溜部１２を形成し、該液溜部１２の一端側に洗浄流体（例えば、水、洗浄スラリー、空気等）の供給管１３を接続すると共に、前記液溜部１２の他端側に洗浄流体の排出管１４を接続した点にある。
【００１９】
本図示例の場合、前記液溜部１２の底面には、一端側から他端側へ向け下り勾配となる傾斜（図１参照）をつけてあり、更に、前記シートリング５の薄肉部５ｃとケーシング１との間に形成される環状空間１１の上部に洗浄流体の供給管１５を接続すると共に、前記環状空間１１の底部に洗浄流体の排出管１６を接続するようにしてある。
【００２０】
尚、図１〜図３中、１７は供給管１３途中に設けられた開閉弁、１８は排出管１４途中に設けられた開閉弁、１９は供給管１５途中に設けられた開閉弁、２０は排出管１６途中に設けられた開閉弁であり、洗浄流体の供給時には、開閉弁１７，１８と開閉弁１９，２０を開くようにしてある。
【００２１】
次に、上記図示例の作動を説明する。
【００２２】
ナイフプレート３を開閉する際には、互いに密着しているシートリング５の液密保持部５ａがナイフプレート３によって押し開かれるような形となるため、スラリー等の流体がスリット４内に入り込み、その自重でケーシング１の底部に形成された液溜部１２へ流下するが、該液溜部１２の一端側に接続した供給管１３から洗浄流体を供給すると、前記液溜部１２へ流下したスラリー等の流体は、洗浄流体と一緒に液溜部１２の他端側に接続した排出管１４から排出される。
【００２３】
ここで、前記液溜部１２の底面には、一端側から他端側へ向け下り勾配となる傾斜をつけるようにしてあるため、液溜部１２へ流下したスラリー等の流体を洗浄流体によってより確実に排出管１４から排出させることが可能となる。
【００２４】
この結果、長期間使用しても、前記スリット４内に入り込んだスラリー等の流体中の固形分が圧密されることが避けられ、ナイフプレート３とシートリング５の液密保持部５ａとの密着性が阻害されず、締りが悪くなる心配がない。又、弁底部のスリット４に入り込んだスラリー等の流体中の固形分が弁底部に圧密されることが避けられ、ナイフプレート３が弁底部のスリット４に容易に入るため、締め切りが悪くなることはない。
【００２５】
更に、本図示例においては、シートリング５の薄肉部５ｃとケーシング１との間に形成される環状空間１１の上部に洗浄流体の供給管１５を接続すると共に、前記環状空間１１の底部に洗浄流体の排出管１６を接続してあるため、前記ナイフプレート３を開閉する際にスリット４内に入り込んだスラリー等の流体だけではなく、環状空間１１内に入り込んで底部へ流下したスラリー等の流体についても、環状空間１１の上部に接続した供給管１５から洗浄流体を供給することにより、洗浄流体と一緒に環状空間１１の底部に接続した排出管１６から排出することが可能となり、ナイフプレート３とシートリング５の液密保持部５ａとの密着性を確保する上でより有効となる。
【００２６】
こうして、スリット４内並びに環状空間１１内に入り込んだスラリー等の流体中の固形分が圧密されることを防止し得、ナイフプレート３とシートリング５の液密保持部５ａとの密着性を良好に保持し得、締切性能の向上を図り得る。
【００２７】
尚、本発明のナイフゲート弁は、上述の図示例にのみ限定されるものではなく、本発明の要旨を逸脱しない範囲内において種々変更を加え得ることは勿論である。
【００２８】
【発明の効果】
以上、説明したように本発明のナイフゲート弁によれば、スリット内並びに環状空間内に入り込んだスラリー等の流体中の固形分が圧密されることを防止し得、ナイフプレートとシートリングとの密着性を良好に保持し得、締切性能の向上を図り得るという優れた効果を奏し得る。
【図面の簡単な説明】
【図１】本発明を実施する形態の一例の正面図である。
【図２】図１のＩＩ−ＩＩ断面相当図である。
【図３】図１のＩＩＩ−ＩＩＩ断面相当図である。
【図４】従来のナイフゲート弁の一例の正面図である。
【図５】図４のＶ−Ｖ断面相当図である。
【図６】図４のＶＩ−ＶＩ断面相当図である。
【符号の説明】
１　　　　ケーシング
２　　　　流路
３　　　　ナイフプレート
４　　　　スリット
５　　　　シートリング
５ａ　　液密保持部
５ｂ　　フランジ部
５ｃ　　薄肉部
１１　　　　環状空間
１２　　　　液溜部
１３　　　　供給管
１４　　　　排出管
１５　　　　供給管
１６　　　　排出管
【図１】
2004124997.tif 000003
【図２】
2004124997.tif 000004
【図３】
2004124997.tif 000005
【図４】
2004124997.tif 000006
【図５】
2004124997.tif 000007
【図６】
2004124997.tif 000008